(57)【要約】【課題】ランドセル内に収納できない物等を、被せ蓋の外側に体裁よく収納して背負うことができるランドセルカバーを提供する。【解決手段】カバー本体（２０）をランドセル（１０）の被せ蓋（１１）に着脱可能に取付ける。そして、このカバー本体（２０）の外面には、ポケット部（２１）を取り付ける。このポケット部（２１）は、カバー本体（２０）の外面側両側端部位に、夫々紐通し部（２２）を複数個上下方向に並置して設ける。また、この紐通し部（２２，２２，２２・・・）には、紐体（２３）の一端を最上端の左右一方の紐通し部（２２）に通し、該紐体（２３）の他端を最上端の左右他方の紐通し部（２２）に通し、両紐通し部（２２，２２）を挿通した紐体（２３）の両端部を交差させて次の下段の紐通し部（２２，２２）に通し、最下段の紐通し部（２２，２２）を挿通した紐体（２３）の両端部は、固定位置変更可能な紐止め具（３０）に通してなる。【選択図】          図１
2004215685.tif 000002
【特許請求の範囲】
【請求項１】
カバー本体（２０）をランドセル（１０）の被せ蓋（１１）に着脱可能に取付けられるようになし、このカバー本体（２０）の外面側にポケット部（２１）を取り付けてなるランドセルカバー。
【請求項２】
カバー本体（２０）をランドセル（１０）の被せ蓋（１１）に着脱可能に取付けられるようになし、
上記カバー本体（２０）の外面には、このカバー本体（２０）の外面側両側端部位に、夫々紐通し部（２２）を複数個上下方向に並置して設け、この紐通し部（２２，２２，２２・・・）には、紐体（２３）の一端を最上端の左右一方の紐通し部（２２）に通し、該紐体（２３）の他端を最上端の左右他方の紐通し部（２２）に通し、両紐通し部（２２，２２）を挿通した紐体（２３）の両端部を交差させて次の下段の紐通し部（２２，２２）に通し、最下段の紐通し部（２２，２２）を挿通した紐体（２３）の両端部は、固定位置変更可能な紐止め具（３０）に通して形成したポケット部（２１）を取り付けてなるランドセルカバー。
【請求項３】
カバー本体（２０）をランドセル（１０）の被せ蓋（１１）に着脱可能に取付けられるようになし、
上記カバー本体（２０）の外面には、このカバー本体（２０）の外面側両側端部位に、夫々紐通し部（２２）を複数個上下方向に並置して設け、この紐通し部（２２，２２，２２・・・）には、紐体（２３）の一端を最上端の左右一方の紐通し部（２２）に通し、該紐体（２３）の他端を最上端の左右他方の紐通し部（２２）に通し、両紐通し部（２２，２２）を挿通した紐体（２３）の両端部を交差させて次の下段の紐通し部（２２，２２）に通し、最下段の紐通し部（２２，２２）を挿通した紐体（２３）の両端部は、カバー本体（２０）の下部中央に設けた下端紐通し部（２２ａ）に通し、この下端紐通し部（２２ａ）を挿通した紐体（２３）の両端は、固定位置変更可能な紐止め具（３０）に通して形成したポケット部（２１）を取り付けてなるランドセルカバー。
【請求項４】
カバー本体（２０）をランドセル（１０）の被せ蓋（１１）に着脱可能に取付けられるようになし、
上記カバー本体（２０）の外面には、このカバー本体（２０）の外面側両側端部位に、夫々紐通し部（２２）を複数個上下方向に並置して設け、この紐通し部（２２，２２，２２・・・）には、紐体（２３）の一端を最上端の左右一方の紐通し部（２２）に通し、該紐体（２３）の他端を最上端の左右他方の紐通し部（２２）に通し、両紐通し部（２２，２２）を挿通した紐体（２３）の両端部を交差させて次の下段の紐通し部（２２，２２）に通し、最下段の紐通し部（２２，２２）を挿通した紐体（２３）の両端部は、カバー本体（２０）の下部中央に設けた下端紐通し部（２２ａ）に通し、この下端紐通し部（２２ａ）を挿通した紐体（２３）の両端は、固定位置変更可能な紐止め具（３０）に通し、
前記カバー本体（２０）の両側の紐通し部（２２，２２，２２・・・）を設けた近傍部位には、被せ蓋（１１）の内面側でその先端が互いに着脱可能に係合できる緊締帯（２４，２４，２４・・・）を設けて形成したポケット部（２１）を取り付けてなるランドセルカバー。
【請求項５】
防水性又は撥水性を有した可曲性の生地で、ランドセル（１０）の被せ蓋（１１）を覆うカバー本体（２０）を形成し、このカバー本体（２０）の内面底部には被せ蓋（１１）の自由端を挿入する内面側ポケット部（２５）を設け、この内面側ポケット部（２５）には被せ蓋の自由端先端に設けた係止具（１５）を貫出させる切溝（２６）を設け、
さらに、上記カバー本体（２０）の上部にはランドセル（１０）に該カバー本体（２０）の上端を係止する係止具（２７）を設け、
上記カバー本体（２０）の外面には、このカバー本体（２０）の外面側両側端部位に、夫々紐通し部（２２）を複数個上下方向に並置して設け、この紐通し部（２２，２２，２２・・・）には、伸縮性を有した紐体（２３）の一端を最上端の左右一方の紐通し部（２２）に通し、該紐体（２３）の他端を最上端の左右他方の紐通し部（２２）に通し、両紐通し部（２２，２２）を挿通した紐体（２３）の両端部を交差させて次の下段の紐通し部（２２，２２）に通し、最下段の紐通し部（２２，２２）を挿通した紐体（２３）の両端部は、カバー本体（２０）の下部中央に設けた下端紐通し部（２２ａ）に通し、この下端紐通し部（２２ａ）を挿通した紐体（２３）の両端は、固定位置変更可能な紐止め具（３０）に通し、
前記カバー本体（２０）の両側の紐通し部（２２，２２，２２・・・）を設けた近傍部位には、被せ蓋（１１）の内面側でその先端が互いに着脱可能に係合できる緊締帯（２４，２４，２４・・・）を設けて形成したポケット部（２１）を取り付けてなるランドセルカバー。
【発明の詳細な説明】
【０００１】
【発明の属する技術分野】
本発明は、ランドセルカバーに関するものである。
【０００２】
【従来の技術】
従来、ランドセルを雨より守るための、ランドセルカバーが要求されており、従来のランドセルカバーには、特許文献１にあるような、背板を除いた全面（５面全面）を覆う方式のものと、特許文献２及び特許文献３に示されるような、被せ蓋のみを覆う方式とが提案されている。そして、前者の背板を除いた全面を覆う方式は雨水の浸入を確実に防止できるが着脱が煩雑で、小学校低学年の使用者には向かないことから汎用されるに至っていないのが現状である。
【０００３】
また、上記した後者の、被せ蓋のみを覆う方式のランドセルカバーは、着装したままで被せ蓋の開閉ができ、このカバーに交通標識、反射テープ等を取り付けて交通事故を防止できるといった利点があり、汎用されているものであるが、実際には雨水の侵入を防止する目的よりも、常に装着しておいて、交通事故の防止を目的として使用されることが多い。
【０００４】
また、ランドセルのマチ部には通常、茄子環が取り付けられており、この茄子環に靴袋等を吊り下げて使用されている。しかし、この使用法は、吊下げた靴袋等が揺れ、他の物に引っ掛かって思わぬ事故原因となることも想定されているという問題点を有している。
【０００５】
【特許文献１】特開２００１−２５８６２７号公報
【特許文献２】実開昭  ５７−１６２７２３号公報
【特許文献３】実開昭  ５７−  ８５９２０号公報
【０００６】
【発明が解決しようとする課題】
そこで、本発明は、上記問題点に鑑みなされたもので、ランドセル内に収納できない物等を、被せ蓋の外側に、体裁よく、かつ歩行によって揺れ動かないように収納して背負うことができるようになした、ランドセルカバーを提供することを課題としたものである。
【０００７】
【課題を解決するための手段】
上記課題を達成するため、本発明は、カバー本体２０をランドセル１０の被せ蓋１１に着脱可能に取付けられるようになし、このカバー本体２０の外面側にポケット部２１を取り付けてなる技術的手段を講じたものである。
【０００８】
それ故、本発明ランドセルカバーは、被せ蓋１１の外面にカバー本体２０と共にポケット部２１を設けることができるので、通常の使用では、最も他の物には接触する恐れが少ない、使用者の背中に携帯物を収容できる作用を呈するものである。また、本発明は、ポケット内への収納であるので、収納物が大きく揺れ動くことも防止される作用を呈するものである。
【０００９】
次に、請求項２の発明は、カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、固定位置変更可能な紐止め具３０に通して形成したポケット部２１を取り付けてなる技術的手段を講じたものである。
【００１０】
それ故、本発明は、ポケット部２１を、紐体２３で構成し、紐体２３の両端部を固定位置変更可能な紐止め具３０に通したので、この紐止め具３０の位置を変更することで、収納物の大きさに適合して、図示しない該収納物を括り付けて保持する作用を呈するものである。
【００１１】
次に、請求項３の発明は、カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通して形成したポケット部２１を取り付けてなる技術的手段を講じたものである。
【００１２】
それ故、本発明ランドセルカバーは、請求項２の作用に加え、紐体２３の両端部を下端紐通し部２２ａを挿通するようになしたので、収納物が下方にずれ落ちるのを紐体２３の下部部分で確実に防止する作用を呈するものである。
【００１３】
次に請求項４の発明は、カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通し、前記カバー本体２０の両側の紐通し部２２，２２，２２・・・を設けた近傍部位には、被せ蓋１１の内面側でその先端が互いに着脱可能に係合できる緊締帯２４，２４，２４・・・を設けて形成したポケット部２１を取り付けてなる技術的手段を講じたものである。
【００１４】
それ故、本発明ランドセルカバーは、請求項３の作用にさらに加え、紐通し部２２，２２，２２・・・を設けた近傍部位に被せ蓋１１の内面側でその先端が互いに着脱可能に係合できる緊締帯２４，２４，２４・・・を設けてなるので、紐体２３で収納物を括りつけても、カバー本体の両側が捲れ上がるのを防止する作用を呈するものである。
【００１５】
次に、請求項５の発明は、防水性又は撥水性を有した可曲性の生地で、ランドセル１０の被せ蓋１１を覆うカバー本体２０を形成し、このカバー本体２０の内面底部には被せ蓋１１の自由端を挿入する内面側ポケット部２５を設け、この内面側ポケット部２５には被せ蓋の自由端先端に設けた係止具１５を貫出させる切溝２６を設け、さらに、上記カバー本体２０の上部にはランドセル１０に該カバー本体２０の上端を係止する係止具２７を設け、上記カバー本体２０の外面には、このカバー本体２０の外面側両側端部位に、夫々紐通し部２２を複数個上下方向に並置して設け、この紐通し部２２，２２，２２・・・には、伸縮性を有した紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通し、前記カバー本体２０の両側の紐通し部２２，２２，２２・・・を設けた近傍部位には、被せ蓋１１の内面側でその先端が互いに着脱可能に係合できる緊締帯２４，２４，２４・・・を設けて形成したポケット部２１を取り付けてなる技術的手段を講じたものである。
【００１６】
それ故、本発明ランドセルカバーは、請求項４の作用にさらに加え、カバー本体２０の内面底部には被せ蓋１１の自由端を挿入する内面側ポケット部２５を設け、この内面側ポケット部２５には被せ蓋の自由端先端に設けた係止具１５を貫出させる切溝２６を設けたので、該カバー本体の下部をしっかりと被せ蓋１１と一体化でき、被せ蓋１１は切溝２６より貫出した係止具１５でランドセル１０に係合できるので、該カバー本体２０の下部が捲れ上がることを防止する作用を呈し、さらには伸縮性を有した紐体２３を使用しているので、この紐体２３の内側に収納した収納物を弾止する作用を呈するものである。
【００１７】
【実施例】
次に、本発明の実施例を添付図面にもとずいて詳細に説明する。図中、１０が従来公知なランドセルである。このランドセル１０は、上部が開口した箱状の主収納部１０ａの背板１４の上部中央に、背負帯取付金具を使用して、一対の背負帯１２，１２の上端を取り付け、この背負帯１２，１２の下端は、通常、主収納部１０ａの底面に取り付けてある。そして、該背板１４の上端には被せ蓋１１の基端部が連結され、この被せ蓋１１の自由端側は主収納部１０ａの開口部上方を通って該主収納部１０ａの前側に垂れ下がり、この被せ蓋１１の自由端には、下がりと称されている、係止具１５（図４参照）が取り付けられ、主収納部１０ａの底面等に着脱可能に係止できるようになしてあるのは従来と同じである。なお、図１の符号１３は、ランドセル吊下用環を示すもので、このランドセル吊下用環１３は前記した背負帯取付金具に連結して設けられているものである。
【００１８】
そして、２０が、本発明の主要部をなすカバー本体で、このカバー本体２０は、ランドセル１０の被せ蓋１１に着脱可能に取付けられるようになしてある。このカバー本体２０を被せ蓋１１に着脱可能に取付ける方法は従来法によればよく、従来例では、本実施例及び特許文献２及び特許文献３に示されたように、カバー本体２０の内面下部に被せ蓋１１の自由端部を差し込む内面側ポケット部２５を設け、内面上部にはゴム帯等からなる帯を、該カバー本体２０の左右に渡して取り付け、被せ蓋１１をカバー本体２０と帯との間を通し、自由端の先端部を内面側ポケット部２５に差し込むようになしてあり、該カバー本体２０の上端部には引っ掛け用のゴム紐からなる係止具２７を設け、この係止具２７をランドセル吊下用環１３に引っかけて係止するようになしてあるが、前記内面側ポケット部２５をカバー本体２０の上端近くまで延長して、カバー本体２０を袋状となしてもよく、または、上記内面側ポケット部２５を、カバー本体２０の下部の角部に三角形状に設けたポケット部で代用したり、さらには、カバー本体の側辺と底辺とに渡して帯体を斜めに取り付ける方法等に代えてもよいものである。
【００１９】
また、カバー本体２０のずれ落ちを防止する上記係止具２７は、図示ゴム紐に代え、背負帯１２，１２の上端側の内側を通して、相互に結び合わせる、図示しない、紐を該カバー本体２０の上部に取付けて使用したり、被せ蓋１１の所定位置にホックや面ファスナー等の一方側係止具を予め取り付けておき、カバー本体２０の内面上部にこの一方側係止具に対応する他方側の係止具（図４、符号２７ａは、他方側の係止具としてのホックを示すものである。）を取り付けてもよいものである。
【００２０】
そして、本発明は、上記カバー本体２０の外面側にポケット部２１を取り付けてなる。このポケットも従来公知なものを使用すればよいが、収納物が、コップ、上履き、給食用白衣、体育着等の相当に容量がある物が想定されるので、伸縮性に富んだポケット部２１を設けることが望ましい。そのために、図２実施例では、ポケット部２１を構成する生地に伸縮性に富んだ糸材の網生地を使用し、該ポケット部２１の口元にはゴム帯２１ａを設けて、ポケット生地は大きく膨れることが可能であるも、その開口部はゴム帯２１ａが縮んで、常時は閉じるようになしてある。
【００２１】
上記ポケット部２１を、この種、ランドセルカバーに適したようになしたのが、請求項２の発明で、本発明では、カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、固定位置変更可能な紐止め具３０に通して形成したポケット部２１を取り付けてなる。
【００２２】
すなわち、本発明ではポケット部２１を通常の生地材を使用せず、紐体２３で代用したもので、この紐体２３は伸縮性に富んだ素材を使用すると収納物の脱落が防止できる。なお、ゴム性を有すると共に、蓄光性を有したり、光を効率的に反射する紐体も市販されており、これらを使用すると交通安全にも寄与できるものである。
【００２３】
なお、上記紐通し部２２は、図示例では、帯材を二つ折りして、その折曲部をカバー本体２０の内側に向けて、両端の重なった部位を、該カバー本体２０の縁に縫合してなるが、紐体２３が通過できる大きさの環（図示せず）を、常法で取付けてもよいものであり、さらには、図５に示すように、カバー本体２０の両側縁部にテープ体２２ｂをその外側縁（図左右縁）に沿って縫着し、該テープ体２２ｂの内側（図中央側）は自由端となして、このテープ体２２ｂ，２２ｂに紐体２３が通過できる大きさの鳩目で紐通し部２２，２２，２２・・・を形成してもよいものである。
【００２４】
なお、最上端の左右の紐通し部２２，２２を挿通した紐体２３の両端部を交差させて次の下段の紐通し部２２，２２に通すには、図示例では、紐体２３の両端を交差させると共に、一度絡み合うようにひねって、カバー本体の中央部で互いに折り返すようになしてあるが、図示はしていないが、紐体２３の端部どうしが単にＸ字状に交差させてもよいのは無論である。
【００２５】
なお、前記した紐止め具３０は、紐体２３の両端を結び合わせる代わりに使用されるものであればよく、図示例では、この紐止め具３０は、筒状本体と、スプリングで貫出方向に付勢された出没柱体とで構成され、この、筒状本体と出没柱体とには紐体２３の両端を同時に挿通できる大きさの通孔が夫々設けられ、筒状本体の通孔と、出没柱体の通孔とは常態ではその位置が異なるようになっており、出没柱体を押し込むとこの両通孔の位置が合致するようになしてある。
【００２６】
なお、図中、３１は紐体２３の両端を分離不可能な状態に連結固定する紐固定具、４０はカバー本体２０の外面に縫着した反射テープを示すものである。
【００２７】
次に、請求項３の発明では、  カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通してポケット部２１を形成するのは請求項２と同じである。
【００２８】
そして、本発明では、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通してある。すなわち、本発明のポケット部はカバー本体２０と、このカバー本体２０の左右方向に渡した紐体２３とで、図示しない収納物を挟持するもので、一般のポケットのような底を有していない。無論底を有していなくても、収納物が脱落するとは限らず、前記した収納物は柔軟な袋に入れて収納することで通常の使用では脱落しないように保持することができ、なお、この収納した袋の紐を、前記ランドセル吊り下げ用環１３や背負帯１２，１２に括りつけて脱落を確実に防止するようになしてもよいが、本発明ではポケット部２１の底の一部を設けるため、カバー本体２０の下部中央に下端紐通し部２２ａを設け、紐体２３の両端は共にこの下端紐通し部２２ａを通して、カバー本体２０の下部では該紐体２３の一部が、カバー本体１０の下辺中央と側辺上部とに斜めになって夫々連結され、この紐体２３の斜部位に挟み込まれた収納物はずれ落ちないようになしたものである。
【００２９】
また、請求項４の発明は、カバー本体２０をランドセル１０の被せ蓋１１に着脱可能に取付けられるようになし、上記カバー本体２０の外面には、このカバー本体２０の外面側両側端部位に、夫々紐通し部２２を複数個上下方向に並置して設け、この紐通し部２２，２２，２２・・・には、紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通してなるのは請求項３と同じ構成である。
【００３０】
前記カバー本体２０の両側の紐通し部２２，２２，２２・・・を設けた近傍部位には、被せ蓋１１の内面側でその先端が互いに着脱可能に係合できる緊締帯２４，２４，２４・・・を設けて形成したポケット部２１を取り付けてなる。この緊締帯２４，２４，２４・・・をその先端が互いに着脱可能に係合できるようになしたのは、この緊締帯２４，２４，２４・・・を従来とは異なり、伸縮性が無い（少ない）ものを使用するためで、伸縮性のない緊締帯２４，２４，２４・・・を使用しても着脱が容易なように着脱可能に係合したもので、この着脱可能な係合には面ファスナー２４ａ（図４参照）等を使用すればよいものである。
【００３１】
なお、上記緊締帯２４，２４，２４・・・に伸縮性が無いものを使用したのは、紐体２２の引張力に抗するためであり、そのために、紐通し部２２，２２，２２・・・を設けた近傍部位に取り付けてなるもので、この緊締帯２４，２４，２４・・・は一端をカバー本体２０に固定し、該カバー本体２０から左右横方向にその自由端側が位置するようになして取付けてある。なお、この、緊締帯２４，２４は左右のもので一対となり、左右一方の緊締帯２４の自由端には一方側係止具（図４に符号２４ａで示す面ファスナー等）を取付け、左右他方の側緊締帯２４の自由端には他方側係止具を取り付けてある。
【００３２】
次に、請求項５の発明は、防水性又は撥水性を有した可曲性の生地で、ランドセル１０の被せ蓋１１を覆うカバー本体２０を形成し、このカバー本体２０の内面底部には被せ蓋１１の自由端を挿入する内面側ポケット部２５を設け、この内面側ポケット部２５には被せ蓋の自由端先端に設けた係止具１５を貫出させる切溝２６を設けてなる。すなわち、本発明は、防水性又は撥水性を有した可曲性の生地でカバー本体２０を形成してある。従来のランドセルカバーは、主として、交通事故防止のため、目立つ色調、模様の物を使用するのが常であったが、最近は、防水生地でも種々の着色が可能となり、さらには、通常の生地に撥水又は防水加工をすることも可能となったので、本発明では、防水性又は撥水性を有した可曲性の生地を使用したものである。
【００３３】
なお、上記内面側ポケット部２５は、前記もしたように従来公知であり、切溝２６は、特許文献３にも開示された従来公知公知技術である。なお、図４の符号１１ａはＹベロと称されている連結片で、Ｙ字状に裁断された生地で構成され、その上端を被せ蓋１１の下部に固定し、下端には前記係止具１５を取付けてなるものである。
【００３４】
さらに、本発明は、上記カバー本体２０の上部にはランドセル１０に該カバー本体２０の上端を係止する係止具２７を設けてある。この係止具２７として、カバー本体２０の上端にゴム紐を取り付けたものは公知であるが、本発明では図示したゴム紐のループのみならず、図の最上段の緊締帯２４，２４で代用してもよく、また、被せ蓋１１側に前記もしたように、一方側係止具を予め設けておいて、カバー本体２０の上部には、この一方側係止具に対応するホックや、面ファスナー等の他方側係止具２７ａ、２７ａを取り付けてもよいものである。
【００３５】
なお、本発明は、上記カバー本体２０の外面には、このカバー本体２０の外面側両側端部位に、夫々紐通し部２２を複数個上下方向に並置して設け、この紐通し部２２，２２，２２・・・には、伸縮性を有した紐体２３の一端を最上端の左右一方の紐通し部２２に通し、該紐体２３の他端を最上端の左右他方の紐通し部２２に通し、両紐通し部２２，２２を挿通した紐体２３の両端部を交差させて次の下段の紐通し部２２，２２に通し、最下段の紐通し部２２，２２を挿通した紐体２３の両端部は、カバー本体２０の下部中央に設けた下端紐通し部２２ａに通し、この下端紐通し部２２ａを挿通した紐体２３の両端は、固定位置変更可能な紐止め具３０に通し、前記カバー本体２０の両側の紐通し部２２，２２，２２・・・を設けた近傍部位には、被せ蓋１１の内面側でその先端が互いに着脱可能に係合できる緊締帯２４，２４，２４・・・を設けて形成したポケット部２１を取り付けてなる。すなわち、本発明では紐体２３に伸縮性を有するものが使用され、この紐体２３の内側に挟み込んだ、図示しない収納物を弾止して脱落しにくいようになしたものである。
【００３６】
【発明の効果】
それ故、本発明ランドセルカバーは、従来のランドセルカバーと同様に、ランドセルの被せ蓋を覆って保護できると共に、収納物を被せ蓋の外側に括りつけて背負うことのできる従来に無い、新たな携行方式を提供できるものである。
【００３７】
特に、請求項２以下の発明は、ポケット部２１を紐体２３で構成したので、体裁がよく、交通安全のための反射テープ４０等を目視することも可能なランドセルカバーを提供できるものであり、請求項３の発明では、該ポケット部２１の底から収納部がずれ落ちるのを防止できるランドセルカバーを提供できるものである。
【００３８】
さらに、請求項４の発明では、上記効果に加え、紐体２３で収納物を強く弾止するように緊締しても、カバー本体２０の両側部が捲れ上がらず、体裁よく使用できるランドセルカバーを提供できる物である。
【００３９】
さらに、請求項５の発明は、上記効果にさらに加え、ランドセルを雨より守ることができると共に、着脱が容易で、装着が確実なランドセルカバーを提供できるものである。
【図面の簡単な説明】
【図１】本発明の一実施例のランドセルカバーを装着したランドセルの斜視図である。
【図２】本発明ランドセルカバーの別の実施例正面図である。
【図３】さらに別の実施例のランドセルカバーの正面図である。
【図４】図３実施例のランドセルカバーの背面図である。
【図５】本発明ランドセルカバーの、さらに別の実施例正面図である。
【符号の説明】
１０      ランドセル
１１      被せ蓋
１５      係止具
２０      カバー本体
２１      ポケット部
２２      紐通し部
２２ａ    下端紐通し部
２３      紐体
２４      緊締体
２５      内面側ポケット部
２６      切溝
２７      係止具
３０      紐止め具
【図１】
2004215685.tif 000003
【図２】
2004215685.tif 000004
【図３】
2004215685.tif 000005
【図４】
2004215685.tif 000006
【図５】
2004215685.tif 000007